(57)【要約】【課題】容易に嵌合可能であって、且つ、高い係止力を有する嵌合構造及び包装容器を提供すること。【解決手段】物品１００を収納する収納部１０及び収納部１０を覆うカバー１１を有する包装容器１は、互いに当接することで、カバー１１が物品１００を覆う当接面３５，３６と、当接面３５，３６の一方３５に設けられた当接面３５と直交する方向に窪む凹部４１、及び、当接面３５，３６の他方３６に設けられた、当接面３６と直交する方向に対して傾斜して突出する、凹部４１と嵌合する凸部４２を具備し、凹部４１及び凸部４２が嵌合することで、物品１００を覆う状態でカバー１１を固定する嵌合構造４０を備える構成とする。【選択図】      図２
2012240735.tif 000002
【特許請求の範囲】
【請求項１】
互いに当接する一対の当接面と、
前記一対の当接面に設けられた凹部と、
前記一対の当接面に設けられ、前記凹部と嵌合する凸部と、を備え、
前記凹部及び前記凸部は、異なる方向に延設されることを特徴とする嵌合構造。
【請求項２】
前記凹部は、前記一対の当接面の一方に、前記当接面と直交する方向に設けられ、
前記凸部は、前記一対の当接面の他方に、前記当接面と直交する方向に対して傾斜して設けられることを特徴とする請求項１に記載の嵌合構造。
【請求項３】
前記凸部及び前記凹部は、前記一対の当接面にそれぞれ複数設けられ、
前記凸部は、前記傾斜する方向が同一方向に配置されていることを特徴とする請求項２に記載の嵌合構造。
【請求項４】
前記凸部及び前記凹部は、前記一対の当接面にそれぞれ複数設けられ、
前記凸部は、その傾斜する方向が異なる方向に配置されていることを特徴とする請求項２に記載の嵌合構造。
【請求項５】
物品を収納する収納部と、
前記収納部を覆うカバーと、
前記収納部及び前記カバーにそれぞれ、又は、前記カバーに一対設けられ、互いに当接することで、前記カバーが前記物品を覆う当接面と、
前記一対の当接面に設けられた凹部、及び、前記一対の当接面に設けられ、前記凹部と嵌合する凸部を具備し、前記凹部及び前記凸部が異なる方向に延設されるとともに、前記凹部及び前記凸部が嵌合することで、前記物品を覆う状態で前記カバーを固定する嵌合構造と、
を備えることを特徴とする包装容器。
【請求項６】
前記凹部は、前記一対の当接面の一方に、前記当接面と直交する方向に設けられ、
前記凸部は、前記一対の当接面の他方に、前記当接面と直交する方向に対して傾斜して設けられることを特徴とする請求項５に記載の包装容器。
【請求項７】
前記凸部及び前記凹部は、前記当接面にそれぞれ複数設けられ、
前記凸部は、その傾斜する方向が同一方向に配置されていることを特徴とする請求項６に記載の包装容器。
【請求項８】
前記凸部及び前記凹部は、前記当接面にそれぞれ複数設けられ、
前記凸部は、その傾斜する方向が異なる方向に配置されていることを特徴とする請求項６に記載の包装容器。
【請求項９】
前記カバーは、
前記収納部に一体に設けられ、前記収納部に収納された前記物品の側方を覆うとともに、互いに当接する前記当接面を有する一対の側面カバーと、
前記収納部の上方を覆う上面カバーと、を備え、
前記当接面を当接させるとともに、前記凹部及び前記凸部を嵌合させることで、前記物品を覆う状態で固定されることを特徴とする請求項５に記載の包装容器。
【発明の詳細な説明】
【技術分野】
【０００１】
本発明は、互いに当接する一部を嵌合して固定する嵌合構造、及び、この嵌合構造を用いた物品を包装する包装容器に関する。
【背景技術】
【０００２】
樹脂材料で形成され、互いに当接するシートや部材等の樹脂成形品の一部に互いに嵌合する凹部及び凸部を設け、凹部及び凸部を嵌合させて樹脂成形品同士を固定する嵌合構造が知られている。このような嵌合構造は、例えば、物品を包装する包装容器に用いられる。
【０００３】
このような嵌合構造として、凹部の開口部を凸部の外形の幅よりも狭窄させるとともに、当該凸部の外形の一部を凹部の開口部よりも大きな幅に膨出させ、当該凸部を凹部に嵌合させて凸部を凹部に係止させる技術（例えば、特許文献１及び特許文献２参照）や、円筒状の凸部の外径を、同円筒状の凹部の内径よりも若干大きく形成して嵌合させる技術（例えば、特許文献３参照）等が知られている。
【０００４】
これらの嵌合構造は、凸部の外周面の少なくとも一部を凹部の内周面の少なくとも一部よりも大きく形成して嵌合させ、凸部と凹部の干渉により凸部を凹部に係止させて固定し、凸部が凹部から脱離することを防止する構成である。
【先行技術文献】
【特許文献】
【０００５】
【特許文献１】特開２００３−７２８０２号公報
【特許文献２】特開２０００−６２７４８号公報
【特許文献３】特開２００１−２５３４６９号公報
【発明の概要】
【発明が解決しようとする課題】
【０００６】
上述した嵌合構造では、以下の問題があった。即ち、上述した凹部の開口部を狭窄し、凸部の外形の一部を膨出させて嵌合させる嵌合構造では、高い係止力を得ることができるため、強固な係止が可能であるが、凸部を凹部に嵌合する場合に高い圧力が必要になり作業性が悪い、という問題がある。
【０００７】
例えば、特許文献２には、凹部の開口部の長さを凸部の先端面の縁の長さよりも２倍程度長くする技術が開示されており、当該構成とすることで、凹部の開口部の縁が容易に変形するため、容易に凸部を凹部に嵌合することが可能となる。しかし、このような技術では、係止力が低減する、という問題がある。
【０００８】
また、凸部の外径を凹部の内径よりも若干大径として嵌合する嵌合構造では、開口部を狭窄した凹部に一部を膨出させた凸部を嵌合させる嵌合構造に比べ、係止力が低い。高い係止力を得るために、凸部の外径をより大径とすると、凸部を凹部に嵌合に高い圧力が必要となり、作業性が低減するという問題もある。
【０００９】
そこで本発明は、容易に嵌合可能であって、且つ、高い係止力を有する嵌合構造及び包装容器を提供することを目的としている。
【課題を解決するための手段】
【００１０】
前記課題を解決し目的を達成するために、本発明の嵌合構造及び包装容器は、次のように構成されている。
【００１１】
本発明の一態様の嵌合構造は、互いに当接する一対の当接面と、前記一対の当接面の一方に設けられ、前記当接面と直交する方向に窪む凹部と、前記一対の当接面の他方に設けられ、前記当接面と直交する方向に対して傾斜して突出する、前記凹部と嵌合する凸部と、を備える。
【００１２】
本発明の一態様の包装容器は、物品を収納する収納部と、前記収納部を覆うカバーと、前記収納部及び前記カバーにそれぞれ、又は、前記カバーに一対設けられ、互いに当接することで、前記カバーが前記物品を覆う当接面と、前記当接面の一方に設けられた前記当接面と直交する方向に窪む凹部、及び、前記当接面の他方に設けられた、前記当接面と直交する方向に対して傾斜して突出する、前記凹部と嵌合する凸部を具備し、前記凹部及び前記凸部が嵌合することで、前記物品を覆う状態で前記カバーを固定する嵌合構造と、を備える。
【発明の効果】
【００１３】
本発明によれば、容易に嵌合可能であって、且つ、高い係止力を有する嵌合構造及び包装容器を提供することが可能となる。
【図面の簡単な説明】
【００１４】
【図１】本発明の一実施の形態に係る包装容器の構成を示す斜視図。
【図２】同包装容器の構成を示す斜視図。
【図３】同包装容器に用いられる嵌合構造の構成を一部断面で示す説明図。
【図４】同嵌合構造の要部構成を示す断面図。
【図５】同嵌合構造の要部構成を示す断面図。
【図６】本発明の変形例に係る包装容器に用いられる嵌合構造の構成を一部断面で示す説明図。
【発明を実施するための形態】
【００１５】
以下、本発明の一実施の形態に係る包装容器１を、図１〜５を用いて説明する。  
図１は本発明の一実施の形態に係る包装容器１の構成を示す斜視図、図２は包装容器１の構成であって、開状態を示す斜視図、図３は包装容器１の要部、特に嵌合構造４０の構成を示す側面図、図４は嵌合構造４０の凹部４１及び凸部４２の構成を示す断面図、図５は凹部４１及び凸部４２の構成であって、嵌合状態を示す断面図である。
【００１６】
包装容器１は、物品１００を包装可能に形成されている。なお、包装容器１が包装する物品１００は、例えば、液晶ディスプレイ等の薄板状のパネル状物品が複数まとめられたパネル状物品群である。なお、当該物品１００は、例えば、複数のパネル状物品が、樹脂材料により形成されたシート等の保護部材により行列状に保持され、且つ、この保持された複数のパネル状物品が保護部材を介して積層されることで、直方体状となる。
【００１７】
包装容器１は、物品１００を収納する収納部１０と、収納部１０に収納された物品１００を覆うカバー１１と、を備えている。包装容器１は、収納部１０及びカバー１１により物品１００を収納可能な直方体状の箱状に形成されている。包装容器１は、真空成型等により、樹脂材料、例えば、ポリプロピレンにより収納部１０及びカバー１１が一体に成形される。なお、包装容器１は、ポリプロピレン以外の樹脂材料、例えば、ポリスチレンやポリエチレンテレフタレート等であってもよい。
【００１８】
収納部１０は、物品１００の一部を収納することで、物品１００の位置決め及び支持が可能に形成されている。収納部１０は、例えば、底面２１と、底面２１に設けられた物品１００の外面の一部を支持可能な方形枠状の枠体２２と、を備えている。
【００１９】
カバー１１は、収納部１０の底面２１の互いに対向する縁部に連続して設けられた一対の側面カバー３１，３２と、一対の側面カバー３１、３２の収納部１０と連続する縁部と相対する縁部に設けられた上面カバー３３，３４と、を備えている。
【００２０】
一対の側面カバー３１，３２は、収納部１０を中心に略対象に形成され、互いに対向して当接することで、包装容器１の四方の側面を形成し、収納部１０に収納された物品１００の側方を覆うことが可能に形成されている。
【００２１】
具体的には、側面カバー３１は、包装容器１の一の側面３１ａと、互いに対向する側面３８の一部３１ｂ，３１ｂと、を構成する。側面カバー３２は、側面３１ａと対向する包装容器１の一の側面３２ａと、側面３８の一部３１ｂ，３１ｂと当接することで、側面３８，３９を形成する側面３８の一部３２ｂ，３２ｂと、を構成する。
【００２２】
また、一対の側面カバー３１，３２は、互いに当接する一対の当接面３５，３６と、この当接面３５，３６に設けられた嵌合構造４０と、を備えている。なお、当接面３５は、対向する側面の一部３１ｂ，３１ｂの端面であり、当接面３６は、対向する側面の一部３２ｂ，３２ｂの端面である。
【００２３】
これら側面カバー３１，３２は、図２の矢印Ａ１に示すように、収納部１０との連続部を中心に回動し、一対の当接面３５，３６が当接することで、収納部１０の上方に延設され、包装容器１の四方の側面である一対の側面３１ａ，３２ａ、及び、一対の側面３８（３１ｂ，３２ｂ），３９（３１ｂ，３２ｂ）を形成する。
【００２４】
嵌合構造４０は、側面カバー３１，３２の当接面３５，３６にそれぞれ複数設けられ、互いに嵌合可能、且つ、異なる方向に延設される複数の凹部４１及び凸部４２を備えている。嵌合構造４０は、凹部４１及び凸部４２の一方の延設方向が他方の延設方向に対して所定の角度だけ傾斜して設けられる。即ち、嵌合構造４０は、凹部４１及び凸部４２が嵌合した場合に、凹部４１の内面の一部に凸部４２の外面の一部が干渉するように、異なる方向に当接面３５，３６に凹凸する。なお、本実施形態の嵌合構造４０は、一方の側面カバー３１の２つの当接面３５に４つの凹部４１がそれぞれ設けられ、他方の側面カバー３２の２つの当接面３６に４つの凸部４２がそれぞれ設けられた構成を用いて説明する。
【００２５】
凹部４１は、例えば、当接面３５の面方向に対して直交方向に窪む。例えば、凹部４１は、当接面３５から内方向に延出して設けられる円柱状の窪みである。なお、凹部４１は、その深さが、その開口幅（直径）と同一又はそれ以上に形成されている。
【００２６】
凸部４２は、当接面３５及び当接面３６が当接した場合に、当接面３５の凹部４１と対向するように当接面３６に複数設けられる。換言すると、凸部４２は、収納部１０を中心に凹部４１と対称位置となるように、当接面３６に設けられる。
【００２７】
図２乃至図５に示すように、凸部４２は、当接面３６の面方向と交差する方向であって、当接面３６と直交する方向に対して所定の角度だけ傾斜して突出（延出）する突起である。換言すると、凸部４２は、凹部４１の延設方向に対して傾斜して、当接面３６に設けられる。
【００２８】
例えば、凸部４２は、当接面３６と直交する方向に対して、５度傾斜して延設された円柱状に形成されている。図２及び図３に示すように、複数の凸部４２は、同方向、本実施の形態においては、上面カバー３４に向かって傾斜して配置される。
【００２９】
凹部４１及び凸部４２は、凸部４２の外形状（外径）が凹部４１の内形状（内径）と略同一又は僅かに凸部４２の外形状が大に形成されている。
【００３０】
上面カバー３３，３４は、側面カバー３１，３２に設けられ、収納部１０の底面２１と略同一形状に形成されるとともに、互いに積層可能に形成されている。上面カバー３３，３４は、側面カバー３１，３２の凹部４１及び凸部４２を嵌合して当接面３５，３６を当接後、図２に示す矢印Ａ２のように、側面カバー３１，３２との連続部を中心に回動させることで、包装容器１の上面を形成する。
【００３１】
上面カバー３３，３４は、側面カバー３１，３２と係合することで固定される舌片３９を備えている。舌片３９は、上面カバー３３，３４の側面の一部から側面カバー３１，３２に沿って延設され、当該側面カバー３１，３２と干渉可能に形成されている。舌片３９は、当該干渉により、上面カバー３３，３４を側面カバー３１，３２に対して固定する。
【００３２】
このように構成された嵌合構造４０を有する包装容器１の物品１００の収納方法を以下、図１乃至図５を用いて説明する。  
図２に示すように、先ず、収納部１０の枠体２２内に物品１００を配置し、底面２１及び枠体２２により物品１００を支持する。次に、図２の矢印Ａ１に示すように、一対の側面カバー３１，３２をそれぞれ物品１００に向かって回動させ、当接面３５，３６同士を当接させる。
【００３３】
このとき、図３乃至図５に示すように、凸部４２を、それぞれ対向する凹部４１に嵌合させる。なお、この嵌合において、凸部４２が設けられた側面カバー３２の当接面３６を凸部４２の延設（突出）方向が凹部４１の延設方向に対して略平行となるように傾けて、その当接面３６と他方の側面カバー３１の当接面３５とを当接させる。これにより、凹部４１に凸部４２が嵌合される。
【００３４】
なお、側面カバー３２を傾けると説明したが、包装容器１はポリプロピレン等により形成されているため、側面カバー３２（当接面３６）を変形させて、凸部４２を凹部４１に対して平行としてもよく、また、凹部４１が設けられた側面カバー３１を傾けるか又は変形させてもよい。
【００３５】
当該嵌合後、側面カバー３２の傾きを解除することで、凸部４２が凹部４１に対して傾斜するため、図５に示すように、凹部４１の内周面の一部に、凸部４２の外周面の一部が干渉し、凸部４２が凹部４１に係止されることとなる。これにより側面カバー３１，３２が互いに当接して固定され、包装容器１の四方の側面３１ａ，３２ａ，３９，３９が形成される。この状態で、図２中矢印Ａ２に示すように、上面カバー３３，３４を回動させて物品１００の上方を覆うとともに、舌片３９を側面カバー３１，３２に干渉させて上面カバー３３，３４を固定することで、包装容器１により、物品１００が包装される。
【００３６】
このように構成された包装容器１によれば、嵌合構造４０は、凹部４１及び凸部４２の互いの延設方向が所定の角度で傾斜する方向に形成し、凸部４２及び凹部４１の延設方向が平行となるように位置させて凸部４２を凹部４１に嵌合させることで、嵌合のために高い圧力で側面カバー３１，３２を当接させる必要がなく、容易に凸部４２を凹部４１に嵌合させることが可能となる。
【００３７】
また、凸部４２を凹部４１に嵌合後、側面カバー３２（又は側面カバー３１）の傾き又は変形を解除することで、凸部４２が凹部４１に対して傾斜するため、凸部４２が凹部４１に干渉し、結果、高い係止力で凸部４２が凹部４１に係止されることとなる。
【００３８】
上述したように本実施の形態に係る包装容器１によれば、互いに異なる方向に延設する凹部４１及び凸部４２とし、嵌合時に延設方向が同一方向となるように当接面３５又は当接面３６を変形させることで、嵌合構造４０の凹部４１及び凸部４２が容易に嵌合可能であって、且つ、凸部４２が凹部４１に対して傾斜して干渉することで高い係止力を有することが可能となる。
【００３９】
なお、本発明は前記実施の形態に限定されるものではない。上述した例では、複数の凸部４２は、その傾斜方向を同一方向に配置させる説明をしたがこれに限定されない。図６に示す変形例に係る包装容器１の嵌合構造４０Ａの複数の凸部４２（４２ａ，４２ｂ）を用いて説明すると、例えば、当接面３６の一方側の凸部４２ａと他方側の凸部４２ｂとを相対する方向に向けて配置させてもよい。
【００４０】
具体的には、図６に示すように、包装容器１の構成では、収納部１０側に設けられる凸部４２ａを収納部１０側に向かって傾斜させるとともに、上面カバー３４側に設けられる凸部４２ｂを上面カバー３４側に向かって傾斜させて当接面３６に設ける。これにより、凸部４２を凹部４１に嵌合させる場合には、側面カバー３２の中心側を対向する側面カバー３１側から離間するように、その中心を撓ませることで各凸部４２が凹部４１に平行に位置することとなる。このため、凸部４２を凹部４１に容易に嵌合することができる。
【００４１】
このように、凸部４２の傾斜方向を複数とすることで、凸部４２の凹部４１の内面への干渉する部位が異なるため、凸部４２のいずれかの傾斜方向に沿って側面カバー３１，３２に外力が加わっても、他の傾斜方向の凸部４２が対応する凹部４１に強固に係止される。このため、高い係止力で側面カバー３１，３２を係止することが可能となる。
【００４２】
なお、凸部４２の傾斜方向の配置は他の構成であってもよく、収納部１０側の凸部４２ａを上面カバー３４側に、上面カバー３４側の凸部４２ｂを収納部１０側にそれぞれ傾斜させ、側面カバー３２の中心側を対向する側面カバー３１側に近接するように撓ませて嵌合する構成であってもよい。
【００４３】
また、上述した例では、包装容器１は、一対の側面カバー３１，３２及び上面カバー３３，３４により、収納部１０に収納された物品１００を包装する構成を説明したが、これに限定されない。例えば、包装容器は、卵用包装容器等のように、連続するヒンジ部で形成され一方を収納部、他方を蓋体とする一対の部材とし、当該一対の部材の当接面に嵌合構造４０，４０Ａを設ける構成であってもよい。
【００４４】
また、上述した例では、凹部４１及び凸部４２は円柱状に形成されている例を説明したが、これに限定されない。例えば、凹部４１及び凸部４２は、四角柱状であってもよく、また、他の形状であってもよい。即ち、凸部４２が、凹部４１の窪み方向に対して所定の角度で傾斜して干渉すればよい。
【００４５】
また、上述した例では、凸部４２は、５度傾斜する構成を説明したがこれに限定されない。即ち、凸部４２の傾斜角度は、包装容器１を形成する樹脂材料、嵌合構造４０等の寸法、及び、要求される嵌合構造４０の係止力により適宜設定可能である。
【００４６】
さらには、上述した例では、凹部４１が当接面３５の面方向に対して直交する方向に窪み、凸部４２が当接面３６の面方向に直交する方向に対して傾斜して突出する構成を説明したがこれに限定されない。
【００４７】
例えば、凹部４１が当接面３５の面方向に直交する方向に対して傾斜して窪み、凸部４２が当接面３６の面方向に対して直交する方向に突出する構成であってもよい。また、凹部４１及び凸部４２が、当接面３５，３６の面方向に直交する方向に対してそれぞれ傾斜して設けられ、当該傾斜角度を凹部４１及び凸部４２で異ならせる構成であってもよい。
【００４８】
即ち、凹部４１及び凸部４２は、凹部４１及び凸部４２の一方の延設方向が他方の延設方向に対して所定の角度だけ傾斜して設けられればよい。但し、凹部４１及び凸部４２は、嵌合が容易に可能な構成であることが望ましい。この他、本発明の要旨を逸脱しない範囲で種々変形実施可能である。
【符号の説明】
【００４９】
１…包装容器、１０…収納部、１１…カバー、２１…底面、２２…枠体、３１，３２…側面カバー、３３，３４…上面カバー、３５，３６…当接面、４０，４０Ａ…嵌合構造、４１…凹部、４２…凸部、１００…物品。
【図１】
2012240735.tif 000003
【図２】
2012240735.tif 000004
【図３】
2012240735.tif 000005
【図４】
2012240735.tif 000006
【図５】
2012240735.tif 000007
【図６】
2012240735.tif 000008